【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
逐次エネルギー抽出制御デバイスであって、該逐次エネルギー抽出制御デバイスは、３つの単相ＤＣ／ＡＣコンバータのＤＣエネルギー抽出シーケンスおよびエネルギー抽出持続期間時間を制御するように構成され、該３つの単相ＤＣ／ＡＣコンバータは、３相ＤＣ／ＡＣコンバータに作り付けられ、該３相ＤＣ／ＡＣコンバータは、
第１のＰＷＭ抽出器を備える、前記３相ＤＣ／ＡＣコンバータ内の第１の前記単相コンバータであって、該第１のＰＷＭ抽出器は、１ｋＨｚより上で高／低信号スイッチングを動作させ、第１のＡＣ電力をＤＣ電力源から、該第１のＡＣ電力がある周波数と第１の位相とを有するように抽出するように構成され、前記第１の位相は、３相ＡＣ電力グリッドの第１の電力伝達ケーブル対において存在するＡＣ電力の電力グリッド規約に適合する、第１の前記単相コンバータと、
第２のＰＷＭ抽出器を備える、前記３相ＤＣ／ＡＣコンバータ内の第２の前記単相コンバータであって、該第２のＰＷＭ抽出器は、１ｋＨｚより上で高／低信号スイッチングを動作させ、第２のＡＣ電力を前記ＤＣ電力源から、該第２のＡＣ電力が前記第１のＡＣ電力と同じ周波数を有するが第２の位相を伴うように抽出するように構成され、該第２の位相は、前記３相ＡＣ電力グリッドの第２の電力伝達ケーブル対において存在するＡＣ電力の前記電力グリッド規約に適合する、第２の前記単相コンバータと、
第３のＰＷＭ抽出器を備える、前記３相ＤＣ／ＡＣコンバータ内の第３の前記単相コンバータであって、該第３のＰＷＭ抽出器は、１ｋＨｚより上で高／低信号スイッチングを動作させ、第３のＡＣ電力を前記ＤＣ電力源から、該第３のＡＣ電力が前記第１のＡＣ電力及び前記第２のＡＣ電力と同じ周波数を有するが第３の位相を伴うように抽出するように構成され、該第３の位相は、前記３相ＡＣ電力グリッドの第３の電力伝達ケーブル対において存在するＡＣ電力の前記電力グリッド規約に適合する、第３の前記単相コンバータと
を備え、前記逐次エネルギー抽出制御デバイスは、
前記第１のＰＷＭ抽出器が、第１のデューティサイクルであって該第１のデューティサイクルの間に該第１のＰＷＭ抽出器が前記ＤＣ電力源からの電力抽出を実行する第１のデューティサイクルを有することを引き起し、前記第２のＰＷＭ抽出器が、第２のデューティサイクルであって該第２のデューティサイクルの間に該第２のＰＷＭ抽出器が前記ＤＣ電力源からの電力抽出を実行する第２のデューティサイクルを有することを引き起し、前記第３のＰＷＭ抽出器が、第３のデューティサイクルであって該第３のデューティサイクルの間に該第３のＰＷＭ抽出器が前記ＤＣ電力源からの電力抽出を実行する第３のデューティサイクルを有することを引き起し、前記第１、第２、および第３のデューティサイクルが、時間ドメインにおいて重ならないように、前記第１、第２、および第３のＰＷＭ抽出器が、逐次的に抽出を実行するように構成された逐次レギュレータ
を備え、
前記逐次レギュレータは、少なくとも１つのＡＣ電力サイクルの現在時間に従って、前記第１、第２、および第３のデューティサイクルのデューティファクタ調整を指図し、それによって、前記第１のＡＣ電力、前記第２のＡＣ電力、および前記第３のＡＣ電力のうちの１つまたは複数を調整するようにさらに構成され、前記デューティファクタ調整は、前記ＡＣ電力サイクルにおける時間ｔの関数として、前記第１のデューティサイクルが２／３ｃｏｓ２（ωｔ）であり、前記第２のデューティサイクルが２／３ｃｏｓ２（ωｔ＋１２０°）であり、前記第３のデューティサイクルが２／３ｃｏｓ２（ωｔ−１２０°）であるように配置構成される、
逐次エネルギー抽出制御デバイス。
【請求項２】
請求項１に記載の逐次エネルギー抽出制御デバイスであって、前記逐次レギュレータは、
時間クロックと、
複数列を有する時間表であって、各々の列は、ＡＣ電力サイクルのそれぞれの部分に対応し、前記ＡＣ電力サイクルの前記それぞれの部分についての前記第１、前記第２、および前記第３のデューティサイクルを決定するのに十分な情報を表す、時間表と、
前記十分な情報を使用して、前記第１、前記第２、および前記第３のＰＷＭ抽出器を逐次的に起動するように構成される起動器と
を備えた、逐次エネルギー抽出制御デバイス。
【請求項３】
請求項２に記載の逐次エネルギー抽出制御デバイスであって、前記十分な情報は、前記第１のデューティサイクルについての開始時間および終了時間である、逐次エネルギー抽出制御デバイス。
【請求項４】
請求項２に記載の逐次エネルギー抽出制御デバイスであって、前記時間表は、前記複数の列の各々に少なくとも２つの値を含み、第１の前記値は、Ｄ＊（２／３）＊ｃｏｓ２（ωｔ）に等しく、第２の前記値は、Ｄ＊（２／３）＊ｃｏｓ２（ωｔ＋１２０°）に等しく、ここで、ＤはＰＷＭ期間であり、ｔは前記ＡＣ電力サイクルの中の時間である、逐次エネルギー抽出制御デバイス。
【請求項５】
請求項１に記載の逐次エネルギー抽出制御デバイスであって、前記逐次レギュレータは、誘導デバイスからの信号に応答してデューティファクタ調整を指図するように構成された、逐次エネルギー抽出制御デバイス。
【請求項６】
請求項１に記載の逐次エネルギー抽出制御デバイスであって、前記第１のデューティサイクルと前記第２のデューティサイクルとの間の隔たりが、ＰＷＭサイクルの３分の１以下である、逐次エネルギー抽出制御デバイス。
【請求項７】
請求項１に記載の逐次エネルギー抽出制御デバイスであって、前記第１のデューティサイクルと前記第２のデューティサイクルとの間の隔たりが、ＰＷＭサイクルの５分の１以下である、逐次エネルギー抽出制御デバイス。
【請求項８】
請求項１に記載の逐次エネルギー抽出制御デバイスであって、前記第１のデューティサイクルと前記第２のデューティサイクルとの間の隔たりが、ＰＷＭサイクルの２０分の１以下である、逐次エネルギー抽出制御デバイス。
【請求項９】
請求項１に記載の逐次エネルギー抽出制御デバイスであって、前記第１のデューティサイクルと前記第２のデューティサイクルとの間の隔たりが、ＰＷＭサイクルの１００分の１以下である、逐次エネルギー抽出制御デバイス。
【請求項１０】
３相ＤＣ／ＡＣコンバータにおいて使用するための逐次抽出制御デバイスであって、該３相ＤＣ／ＡＣコンバータは、ＤＣ電力から第１のＡＣ電力を抽出するための第１のＰＷＭ抽出器を備えた第１の単相ＤＣ／ＡＣコンバータであって、該第１のＡＣ電力は第１の位相を有し電力グリッド規約に適合する、第１の単相ＤＣ／ＡＣコンバータと、前記ＤＣ電力から第２のＡＣ電力を抽出するための第２のＰＷＭ抽出器を備えた第２の単相ＤＣ／ＡＣコンバータであって、該第２のＡＣ電力は第２の位相を有し前記電力グリッド規約に適合する、第２の単相ＤＣ／ＡＣコンバータと、前記ＤＣ電力から第３のＡＣ電力を抽出するための第３のＰＷＭ抽出器を備えた第３の単相ＤＣ／ＡＣコンバータであって、該第３のＡＣ電力は第３の位相を有し前記電力グリッド規約に適合する、第３の単相ＤＣ／ＡＣコンバータとを備え、前記逐次抽出制御デバイスは、
前記第１のＰＷＭ抽出器が、第１のデューティサイクルであって該第１のデューティサイクルの間に該第１のＰＷＭ抽出器が抽出を実行する第１のデューティサイクルを有することを引き起し、前記第２のＰＷＭ抽出器が、第２のデューティサイクルであって該第２のデューティサイクルの間に該第２のＰＷＭ抽出器が抽出を実行する第２のデューティサイクルを有することを引き起し、前記第３のＰＷＭ抽出器が、第３のデューティサイクルであって該第３のデューティサイクルの間に該第３のＰＷＭ抽出器が抽出を実行する第３のデューティサイクルを有することを引き起し、前記第１、第２、および第３のデューティサイクルが重ならないように、前記第１、第２、および第３のＰＷＭ抽出器が、逐次的に抽出を実行するようにする逐次レギュレータであって、該逐次レギュレータは、前記第１、第２、および第３のデューティサイクルについてのデューティファクタ調整を、前記第１のＡＣ電力、前記第２のＡＣ電力、および前記第３のＡＣ電力のうちの少なくとも１つのＡＣ電力サイクルの現在部分に応じて指図するように構成され、前記デューティファクタ調整は、前記ＡＣ電力サイクル内の時間ｔの関数として、前記第１のデューティサイクルが２／３ｃｏｓ２（ωｔ）であり、前記第２のデューティサイクルが２／３ｃｏｓ２（ωｔ＋１２０°）であり、前記第３のデューティサイクルが２／３ｃｏｓ２（ωｔ−１２０°）であるようにする、逐次レギュレータ
を備えた、逐次抽出制御デバイス。
【請求項１１】
３相ＤＣ／ＡＣコンバータシステムであって、
ＤＣ電力から第１のＡＣ電力を抽出するための第１のＰＷＭ抽出器を備えた第１の単相ＤＣ／ＡＣコンバータであって、該第１のＡＣ電力は第１の位相を有し電力グリッド規約に適合する、第１の単相ＤＣ／ＡＣコンバータと、前記ＤＣ電力から第２のＡＣ電力を抽出するための第２のＰＷＭ抽出器を備えた第２の単相ＤＣ／ＡＣコンバータであって、該第２のＡＣ電力は第２の位相を有し前記電力グリッド規約に適合する、第２の単相ＤＣ／ＡＣコンバータと、前記ＤＣ電力から第３のＡＣ電力を抽出するための第３のＰＷＭ抽出器を備えた第３の単相ＤＣ／ＡＣコンバータであって、該第３のＡＣ電力は第３の位相を有し前記電力グリッド規約に適合する、第３の単相ＤＣ／ＡＣコンバータとを備えた３相ＤＣ／ＡＣコンバータと、
前記第１のＰＷＭ抽出器が、第１のデューティサイクルであって該第１のデューティサイクルの間に該第１のＰＷＭ抽出器が抽出を実行する第１のデューティサイクルを有することを引き起し、前記第２のＰＷＭ抽出器が、第２のデューティサイクルであって該第２のデューティサイクルの間に該第２のＰＷＭ抽出器が抽出を実行する第２のデューティサイクルを有することを引き起し、前記第３のＰＷＭ抽出器が、第３のデューティサイクルであって該第３のデューティサイクルの間に該第３のＰＷＭ抽出器が抽出を実行する第３のデューティサイクルを有することを引き起し、前記第１、第２、および第３のデューティサイクルが重ならないように、前記第１、第２、および第３のＰＷＭ抽出器が、逐次的に抽出を実行するようにする逐次レギュレータであって、該逐次レギュレータは、前記第１、第２、および第３のデューティサイクルについてのデューティファクタ調整を、前記第１のＡＣ電力、前記第２のＡＣ電力、および前記第３のＡＣ電力のうちの少なくとも１つのＡＣ電力サイクルの現在部分に応じて指図するように構成された逐次レギュレータと、
を備え、前記逐次レギュレータは、
時間クロックと、
複数列を有する時間表であって、各々の列は、ＡＣ電力サイクルのそれぞれの部分に対応し、前記ＡＣ電力サイクルの前記それぞれの部分についての前記第１、第２、および第３のデューティサイクルを決定するのに十分な情報を表す、時間表と、
前記十分な情報を使用して、前記第１、第２、および第３のＰＷＭ抽出器を逐次的に起動するように構成される起動器と
を備えた、
３相ＤＣ／ＡＣコンバータシステム。
【請求項１２】
請求項１１に記載の３相ＤＣ／ＡＣコンバータシステムであって、前記十分な情報は、前記第１のデューティサイクルについての開始時間および終了時間である、３相ＤＣ／ＡＣコンバータシステム。
【請求項１３】
請求項１１に記載の３相ＤＣ／ＡＣコンバータシステムであって、前記時間表は、前記複数の列の各々に少なくとも２つの値を含み、第１の前記値は、Ｄ＊（２／３）＊ｃｏｓ２（ωｔ）に等しく、第２の前記値は、Ｄ＊（２／３）＊ｃｏｓ２（ωｔ＋１２０°）に等しく、ここで、ＤはＰＷＭ期間であり、ｔは前記ＡＣ電力サイクルの中の時間である、３相ＤＣ／ＡＣコンバータシステム。